(57)【要約】【課題】簡単な構造で容易に磁気テープカッセトから磁気テープを回収する。【解決手段】装置本体１の前方に水平方向Ｘに移動可能に配設され、カセット３の蓋３ａを下方向にしてカセット３を収容するカセット収容体４と、カセット収容体４の一方の側面に配設され、カッセト３の蓋３ａを開放可能にする突起５と、装置本体１に配設されカッセト３を支持する一対の案内レール６と、装置本体１に配設され、カセット３の２つのテープリールに嵌合する回転軸７、８と、装置本体１に配設され、カッセト３の後部から侵入し磁気テープを把持し巻き取るためのテープ巻き取り軸９と、該テープ巻き取り軸９の先端を残すように外周に嵌合されたテープ押し出し軸１０と、装置本体１に配設され、カッセト３の下方に位置して一対のテープカッター１１およびガイドロール１２とを備え、前記テープ巻き取り軸９とテープ押し出し軸１０は上下方向Ｙに移動可能に配設され、テープ押し出し軸１０は水平方向Ｘに移動可能にされている構成。【選択図】図１
2005285226.tif 000002
【特許請求の範囲】
【請求項１】
装置本体の前方に水平方向に移動可能に配設され、カセットの蓋を下方向にしてカセットを収容するカセット収容体と、カセット収容体の一方の側面に配設され、カッセトの蓋を開放可能にする突起と、装置本体１に配設されカッセトを支持する一対の案内レールと、装置本体に配設され、カセットの２つのテープリールに嵌合する回転軸と、装置本体に配設され、カッセトの後部から侵入し磁気テープを把持し巻き取るためのテープ巻き取り軸と、該テープ巻き取り軸の先端を残すように外周に嵌合されたテープ押し出し軸と、装置本体１にカッセトの下方に位置して配設された、一対のテープカッターおよびガイドロールとを備え、前記テープ巻き取り軸とテープ押し出し軸は上下方向に移動可能に配設され、テープ押し出し軸は水平方向に移動可能にされていることを特徴とする磁気テープの回収装置。
【請求項２】
請求項１記載の磁気テープの回収装置を用い、カセット収容体を装置本体側に移動させ、カッセトの蓋を開放させ、前記回転軸にテープリールを嵌合させ磁気テープを緊張させるとともに、テープ巻き取り軸に磁気テープを侵入させるステップと、テープ巻き取り軸を下方に移動させてカセットから磁気テープを引き出す工程と、テープ巻き取り軸を回転させ一方のテープリールの磁気テープの巻き取りを終了させガイドロールを移動させてテープカッターにより磁気テープを切断する工程と、他方のテープリールの磁気テープの巻き取りに移り、磁気テープの巻き取りを終了させガイドロールを移動させ、テープカッターにより磁気テープを切断する工程と、テープ押し出し軸を移動させ、磁気テープを押し出して回収する工程と、テープ巻き取り軸を上方に移動させて初期位置に戻らせ、またカセット収容体を移動させて、カセットを案内レールから外れる位置まで移動させカッセトを回収する工程とからなることを特徴とする磁気テープの回収方法。
【発明の詳細な説明】
【技術分野】
【０００１】
本発明は、ビデオや音楽用の磁気テープカセットから磁気テープを回収する技術に関するものである。
【背景技術】
【０００２】
近年、不用になった磁気テープカセットをリサイクルするため、カセットケースの分解を簡単、迅速に行える構造とする工夫や、カセットの材料を同じ材料毎に分解できる構造にする工夫がなされている。一方、磁気テープに関しては、これを分別収集して建材等に再利用することができ、そのために特許文献１に示すように、多数のテープカセットから磁気テープを連続して巻き取って回収し、また、リーダテープを元の状態に接続する方法が提案されている。
【特許文献１】特開２００３−３０９５３
【発明の開示】
【発明が解決しようとする課題】
【０００３】
しかしながら、上記従来の方式では、多数のテープカセットから磁気テープを連続して巻き取るために、接続テーブルと接着テーブルを必要とし、また、テープカセットから磁気テープを取り出すためのテープ引出アームを必要とするため、構造が複雑になってしまうという問題を有している。
本発明は、上記従来の問題を解決するものであって、簡単な構造で容易に磁気テープカセットから磁気テープを回収することを目的とする。
【課題を解決するための手段】
【０００４】
そのために本発明の磁気テープの回収装置は、装置本体１の前方に水平方向Ｘに移動可能に配設され、カセット３の蓋３ａを下方向にしてカセット３を収容するカセット収容体４と、カセット収容体４の一方の側面に配設され、カッセト３の蓋３ａを開放可能にする突起５と、装置本体１に配設されカッセト３を支持する一対の案内レール６と、装置本体１に配設され、カセット３の２つのテープリールに嵌合する回転軸７、８と、装置本体１に配設され、カッセト３の後部から侵入し磁気テープを把持し巻き取るためのテープ巻き取り軸９と、該テープ巻き取り軸９の先端を残すように外周に嵌合されたテープ押し出し軸１０と、装置本体１に配設され、カッセト３の下方に位置して一対のテープカッター１１およびガイドロール１２とを備え、前記テープ巻き取り軸９とテープ押し出し軸１０は上下方向Ｙに移動可能に配設され、テープ押し出し軸１０は水平方向Ｘに移動可能にされていることを特徴とする。
また、本発明の磁気テープの回収方法は、カセット収容体４を装置本体１側に移動させ、カッセト３の蓋３ａを開放させ、前記回転軸７、８にテープリールを嵌合させ磁気テープを緊張させるとともに、テープ巻き取り軸９に磁気テープを侵入させるステップと、テープ巻き取り軸９を下方に移動させてカセット３から磁気テープ１３を引き出す工程と、テープ巻き取り軸９を回転させ一方のテープリールの磁気テープ１３の巻き取りを終了させガイドロール１２を移動させ、テープカッター１１により磁気テープを切断する工程と、他方のテープリールの磁気テープ１３の巻き取りに移り、磁気テープ１３の巻き取りを終了させガイドロール１２を移動させ、テープカッター１１により磁気テープを切断する工程と、テープ押し出し軸１０を移動させ、磁気テープ１３を押し出して回収する工程と、テープ巻き取り軸９を上方に移動させて初期位置に戻らせ、またカセット収容体４を移動させて、カセット３を案内レール６から外れる位置まで移動させカッセト３を回収する工程とからなることを特徴する。
【発明の効果】
【０００５】
本発明によれば、簡単な構造で容易に磁気テープカッセトから磁気テープを回収することができる。
【発明を実施するための最良の形態】
【０００６】
以下、本発明の実施形態を図面を参照しつつ説明する。図１〜図４は、本発明の磁気テープの回収装置の１実施形態を示し、図１（Ａ）は装置の模式的正面図、図１（Ｂ）は図１（Ａ）模式的側面図、図２〜図４は磁気テープの回収方法を説明するための図である。
【０００７】
図１において、装置本体１の上部には、ベルトコンベア２が設置され、ベルトコンベア２上には複数の磁気テープカセット３が載置されている。装置本体１の前方には、カセット３の蓋３ａを下方向にしてカッセト３を収容するカセット収容体４が水平方向Ｘに移動可能に配設されている。カセット収容体４の一方の側面には突起５が配設され、突起５がカセット３の所謂ロックプレート（図示せず）を押ことにより蓋３ａを開放可能にしている。
【０００８】
カセット収容体４の底面は開放されており、カセット３はカセット収容体４を貫通して装置本体１に配設された一対の案内レール６に支持されている。装置本体１には、カセット３の２つのテープリール（図示せず）に嵌合する回転軸７、８が配設され、図示しないモータにより回転駆動される。また、装置本体１には、カッセト３の後部から侵入し磁気テープを把持し巻き取るためのテープ巻き取り軸９と、この巻き取り軸９の先端を残すように外周に嵌合されたテープ押し出し軸１０が配設されている。
【０００９】
前記テープ巻き取り軸９とテープ押し出し軸１０は上下方向Ｙに移動可能に配設され、図（Ｂ）の点線で示す位置まで下方に移動可能にされている。加えてテープ押し出し軸１０は水平方向Ｘに移動可能にされている。テープ巻き取り軸９には磁気テープが挿入される切欠溝９ａが設けられている。装置本体１には、カッセト３の下方に位置して一対のテープカッター１１とガイドロール１２が設けられ、ガイドロール１２は斜め下方向Ｚにスプリングで付勢され、斜め下方向Ｚに移動可能にされている。ガイドロール１２は永久磁石で構成され、磁気テープが通過する際に磁気テープに記録された情報を消去可能にしている。
【００１０】
上記構成からなる回収装置による磁気テープの回収方法について説明する。図１の状態では、カセット３はベルトコンベア２からカセット収容体４内に落下し、カセット３の下面が案内レール６に支持されている。この状態からカセット収容体４を装置本体１側、Ｘ方向に移動させると蓋３ａが開き、回転軸７、８にテープリールが嵌合する。この時、回転軸８を図１（Ａ）で反時計回りに回動させて磁気テープを緊張させるとともに、テープ巻き取り軸９がカセット３内に入り込み切欠溝９ａ内に磁気テープを侵入させる。なお、切欠溝９ａは初期位置でが水平方向に位置するようにしている。
【００１１】
次に、図２に示すように、テープ巻き取り軸９を下方に移動すると、カセット３から磁気テープ１３が引き出される。次にテープ巻き取り軸９を図示矢印方向に回動させると、左側のテープリールの磁気テープ１３の巻き取りが終わるため、磁気テープ１３が緊張し、その緊張力でガイドロール１２がＺ方向に移動するため、磁気テープ１３がテープカッター１１に接触し切断される。
【００１２】
図３に示すように、左側のテープリールの磁気テープ１３が切断されると、右側のテープリールの磁気テープ１３の巻き取りに移り、磁気テープ１３の巻き取りが終わると、磁気テープ１３が緊張し、その緊張力でガイドロール１２がＺ方向に移動するため、磁気テープ１３がテープカッター１１に接触し切断される。
【００１３】
磁気テープ１３の巻き取りが終了すると、図４に示すように、テープ押し出し軸１０が図で左方向に移動し、磁気テープ１３を押し出して回収する。磁気テープ１３の回収が終了すると、テープ巻き取り軸９は上方に移動し図１に示す初期位置に戻り、またカセット収容体４を図で左方向に少し移動させて、カセット３を案内レール６から外れる位置まで移動させると、カッセト３は落下してカッセト３を回収することができる。その後、カセット収容体４を図１に示す初期位置に移動させた後、次のカッセト３を収容する。
【図面の簡単な説明】
【００１４】
【図１】本発明の磁気テープの回収装置の１実施形態を示し、図１（Ａ）は装置の模式的正面図、図１（Ｂ）は図１（Ａ）模式的側面図である。
【図２】本発明における磁気テープの回収方法を説明するための図である。
【図３】本発明における磁気テープの回収方法を説明するための図である。
【図４】本発明における磁気テープの回収方法を説明するための図である。
【符号の説明】
【００１５】
１…装置本体、３…カッセト、４…カッセト収容体、５…突起、６…案内レール
７、８…回転軸、９…テープ巻き取り軸、１０…テープ押し出し軸
１１…テープカッター、１２…ガイドロール
【図１】
2005285226.tif 000003
【図２】
2005285226.tif 000004
【図３】
2005285226.tif 000005
【図４】
2005285226.tif 000006